(57)【要約】【課題】求められている時刻精度を確保することができるようにする電子機器、及びプログラムを提供すること目的とする。【解決手段】電子機器は、温度を測定する温度測定部と、温度に関する情報に応じて温度測定部が温度を測定する間隔を変更し、該温度測定部が測定した温度に応じてクロック信号に対して歩度の調整を行うための歩度補正量を変更する制御部と、発振信号を分周してクロック信号を生成し、生成したクロック信号に対して歩度補正量を用いて緩急を行う分周回路部と、を備える。【選択図】図１
2015031608.tif 000002
【特許請求の範囲】
【請求項１】
温度を測定する温度測定部と、
温度に関する情報に応じて前記温度測定部が温度を測定する間隔を変更し、当該温度測定部が測定した温度に応じてクロック信号に対して歩度の調整を行うための歩度補正量を変更する制御部と、
発振信号を分周して前記クロック信号を生成し、生成した前記クロック信号に対して前記歩度補正量を用いて緩急を行う分周回路部と、
を備えることを特徴とする電子機器。
【請求項２】
前記制御部は、
前記温度測定部が測定した前記温度に関する情報である温度の情報に基づいて、当該温度測定部が温度を測定する間隔を変更する
ことを特徴とする請求項１に記載の電子機器。
【請求項３】
前記クロック信号に基づいて前記温度に関する情報であるカレンダ情報を生成するカレンダ部を備え、
前記制御部は、
前記カレンダ部が生成した前記カレンダ情報に基づいて、前記温度測定部が温度を測定する間隔を変更する
ことを特徴とする請求項１または請求項２に記載の電子機器。
【請求項４】
前記制御部は、
前記カレンダ部が生成した前記カレンダ情報を用いて、予め定められている期間に前記温度測定部が温度を測定する間隔を変更する
ことを特徴とする請求項３に記載の電子機器。
【請求項５】
前記温度に関する情報である高度に関する情報を測定する高度測定部を備え、
前記制御部は、
前記高度測定部が高度に関する情報を測定中のとき、前記温度測定部が温度を測定する間隔を変更する
ことを特徴とする請求項１から請求項４のいずれか１項に記載の電子機器。
【請求項６】
前記制御部は、
前記高度測定部が測定した高度に関する情報に基づいて、前記温度測定部が温度を測定する間隔を変更する
ことを特徴とする請求項５に記載の電子機器。
【請求項７】
前記温度に関する情報である当該電子機器にかかる加速度を検出する加速度センサを備え、
前記制御部は、
前記加速度センサが検出した検出値に基づいて、前記温度測定部が温度を測定する間隔を変更する
ことを特徴とする請求項１から請求項６のいずれか１項に記載の電子機器。
【請求項８】
前記制御部は、
前記加速度センサが検出した検出値に基づいて、当該電子機器が利用者により携帯されていないと判別したとき、前記温度測定部が温度を測定する間隔を変更する
ことを特徴とする請求項７に記載の電子機器。
【請求項９】
電子機器のコンピュータに実行させるためのプログラムであって、
温度を測定する温度測定手順と、
温度に関する情報に応じて、前記温度測定手順によって測定される温度を測定する間隔を変更し、当該温度測定手順によって測定された温度に応じてクロック信号に対して歩度の調整を行うための歩度補正量を変更する制御手順と、
発振信号を分周して前記クロック信号を生成し、生成した前記クロック信号に対して前記歩度補正量を用いて緩急を行う分周回路手順と、
を実行させるためのプログラム。
【発明の詳細な説明】
【技術分野】
【０００１】
本発明は、電子機器、およびプログラムに関する。
【背景技術】
【０００２】
電子時計では、発振回路により生成された基準信号を分周して、例えば１Ｈｚ（ヘルツ）の信号を生成する。長針、短針、及び秒針によって時刻を表示する電子時計の場合、生成した信号を用いてステッピングモータを駆動し、長針、短針、及び秒針を回転させる。また、例えば液晶パネルに時刻を表示する電子時計の場合、生成した信号を用いて計時を行い、計時した時刻を液晶パネルに表示させる。
【０００３】
このような電子時計の発振回路に用いられる水晶振動子は、温度によって周波数が変化する。このため、電子時計では、歩度の補正量を温度に応じて変更している（例えば、特許文献１、特許文献２参照）。特許文献１及び２では、温度測定回路により温度を測定し、歩度調整回路が測定した温度に応じて分周回路を制御することで、論理緩急値を補正し歩度の調整を行っている。なお、論理緩急とは、水晶振動子の周波数を調整せず、分周回路の一部でクロックパルス数を加減（分周比を可変）して時計の進み、遅れを調整する緩急手法である。
【先行技術文献】
【特許文献】
【０００４】
【特許文献１】特公平５−８９９５号公報
【特許文献２】特開平１０−３３２８４９号公報
【発明の概要】
【発明が解決しようとする課題】
【０００５】
しかしながら、従来の技術では、高い頻度で温度を測定して、歩度調整を行うことが必要であり、高い時計精度を維持するためには頻繁に温度測定をすることから、消費電力が大きくなってしまう。特に、電池容量の小さい電子時計においては、この温度測定に要する消費電力は、無視することができないという課題があった。
【０００６】
本発明は、上記の事情に鑑み成されたものであって、求められている時刻精度を確保することができるようにする電子機器、及びプログラムを提供すること目的とする。
【課題を解決するための手段】
【０００７】
上記目的を達成するため、本発明の一態様に係る電子機器は、温度を測定する温度測定部と、温度に関する情報に応じて前記温度測定部が温度を測定する間隔を変更し、当該温度測定部が測定した温度に応じてクロック信号に対して歩度の調整を行うための歩度補正量を変更する制御部と、発振信号を分周して前記クロック信号を生成し、生成した前記クロック信号に対して前記歩度補正量を用いて緩急を行う分周回路部と、を備えることを特徴としている。
【０００８】
また、本発明の一態様に係る電子機器において、前記制御部は、前記温度測定部が測定した前記温度に関する情報である温度の情報に基づいて、当該温度測定部が温度を測定する間隔を変更するようにしてもよい。
【０００９】
また、本発明の一態様に係る電子機器において、前記クロック信号に基づいて前記温度に関する情報であるカレンダ情報を生成するカレンダ部を備え、前記制御部は、前記カレンダ部が生成した前記カレンダ情報に基づいて、前記温度測定部が温度を測定する間隔を変更するようにしてもよい。
【００１０】
また、本発明の一態様に係る電子機器において、前記制御部は、前記カレンダ部が生成した前記カレンダ情報を用いて、予め定められている期間に前記温度測定部が温度を測定する間隔を変更するようにしてもよい。
【００１１】
また、本発明の一態様に係る電子機器において、前記温度に関する情報である高度に関する情報を測定する高度測定部を備え、前記制御部は、前記高度測定部が高度に関する情報を測定中のとき、前記温度測定部が温度を測定する間隔を変更するようにしてもよい。
【００１２】
また、本発明の一態様に係る電子機器において、前記制御部は、前記制御部は、前記高度測定部が測定した高度に関する情報に基づいて、前記温度測定部が温度を測定する間隔を変更するようにしてもよい。
【００１３】
また、本発明の一態様に係る電子機器において、前記温度に関する情報である当該電子機器にかかる加速度を検出する加速度センサを備え、前記制御部は、前記加速度センサが検出した検出値に基づいて、前記温度測定部が温度を測定する間隔を変更するようにしてもよい。
【００１４】
また、本発明の一態様に係る電子機器において、前記制御部は、前記加速度センサが検出した検出値に基づいて、当該電子機器が利用者により携帯されていないと判別したとき、前記温度測定部が温度を測定する間隔を変更するようにしてもよい。
【００１５】
上記目的を達成するため、本発明の一態様に係るプログラムは、電子機器のコンピュータに実行させるためのプログラムであって、温度を測定する温度測定手順と、温度に関する情報に応じて、前記温度測定手順によって測定される温度を測定する間隔を変更し、当該温度測定手順によって測定された温度に応じてクロック信号に対して歩度の調整を行うための歩度補正量を変更する制御手順と、発振信号を分周して前記クロック信号を生成し、生成した前記クロック信号に対して前記歩度補正量を用いて緩急を行う分周回路手順と、を実行させることを特徴としている。
【発明の効果】
【００１６】
本発明によれば、電子機器は、求められている時刻精度を確保することができる。また、本発明によれば、測定した温度に関する情報に基づいて、歩度補正量を変更するために用いる温度の測定間隔を変更することにより、常温のときには温度の測定間隔を長くすることができるので、電子機器の消費電力を低減することができる。また、本発明によれば、温度が常温より高いとき又は低いときには、測定した温度に関する情報に基づいて温度の測定間隔を短くすることで、電子機器に求められている時刻精度を確保することができる。また、本発明によれば、電子機器は、温度に関する情報であるカレンダ情報を用いて、例えば季節である予め定められている期間、温度の測定間隔を変更するため、常温に近い季節では消費電力を低減することができ、常温より温度が高い又は温度が低い季節では温度の測定間隔を短くすることによって時刻精度を確保することができる。また、本発明によれば、電子機器は、温度に関する情報である高度を測定しているとき、温度の測定間隔を変更することによって、時刻精度を確保することができる。また、本発明によれば、電子機器は、利用者により携帯されていないときに、温度の測定間隔を短くすることによって、時刻精度を確保することができる。
【図面の簡単な説明】
【００１７】
【図１】第１実施形態に係る電子時計の構成を示したブロック図である。
【図２】第１実施形態に係る分周回路部の動作を説明する図である。
【図３】発振回路部が備える音叉型水晶振動子における温度に対する周波数偏差の一例である。
【図４】第１実施形態に係る記憶部に記憶されている温度の測定間隔の一例を説明する図である。
【図５】第１実施形態に係る記憶部に記憶されている温度範囲に対する歩度の補正量の一例を説明する図である。
【図６】第１実施形態に係る歩度調整の手順の一例のフローチャートである。
【図７】第２実施形態に係る電子時計の構成を示したブロック図である。
【図８】第２実施形態に係る記憶部に記憶されている情報の一例を説明する図である。
【図９】第２実施形態に係る歩度調整の手順の一例のフローチャートである。
【図１０】第３実施形態に係る電子時計の構成を示したブロック図である。
【図１１】第３実施形態に係る歩度調整の手順の一例のフローチャートである。
【図１２】第４実施形態に係る電子時計の構成を示したブロック図である。
【図１３】第４実施形態に係る歩度調整の手順の一例のフローチャートである。
【発明を実施するための形態】
【００１８】
［第１実施形態］
以下、本発明の実施の形態について図面を参照しながら説明する。また、以下の例では、電子機器の一例として、電子時計を例に説明する。
図１は、本実施形態に係る電子時計１の構成を示したブロック図である。図１に示すように、電子時計１は、温度センサ部１０１、Ａ／Ｄ変換部１０２、発振回路部１０３、分周回路部１０４、制御部１０５、記憶部１０６、緩急設定回路部１０７、表示制御部１０８、表示部１０９、入力部１１０、および報知部１１１を備えている。
【００１９】
温度センサ部１０１は、温度を計測し、計測した温度を表す温度信号をＡ／Ｄ変換部１０２に出力する。温度センサ部１０１は、例えば、サーミスタである。温度センサ部１０１は、電子時計１のケースまたは各部が搭載されている基板に取り付けられて、電子時計１の内部の温度、または、ケースの温度を計測する。
Ａ／Ｄ（アナログ信号−ディジタル信号）変換部１０２は、温度センサ部１０１が出力した温度信号をディジタル信号に変換し、変換したディジタル信号を、温度を表す温度情報として制御部１０５に出力する。なお、温度センサ部１０１は、Ａ／Ｄ変換部１０２を含んで構成されていてもよい。なお、この温度情報は、温度に関する情報である。
【００２０】
発振回路部１０３は、水晶振動子を備え、水晶振動子の振動に基づいた発振クロック信号を生成する。発振回路部１０３は、生成した発振クロック信号を、分周回路部１０４に出力する。発振回路部１０３が生成する発振クロック信号の周波数は、例えば、３２７６８Ｈｚである。
【００２１】
分周回路部１０４は、発振回路部１０３が出力した発振クロック信号に対して１／２分周を繰り返すことで、例えば、周波数が１Ｈｚのクロック信号を生成する。分周回路部１０４は、緩急設定回路部１０７からの制御に応じて、緩急動作を行う。分周回路部１０４は、緩急動作を行わなかった場合、生成したクロック信号を制御部１０５に出力し、緩急動作を行った場合、緩急動作によって生成されたクロック信号を、制御部１０５に出力する。
【００２２】
制御部１０５は、記憶部１０６に予め記憶されているプログラムを実行し、プログラムの実行結果に基づいて、電子時計１の各部を制御する。
また、制御部１０５は、入力部１１０が出力した操作結果に応じて、電子時計１の機能の切り替え、各機能の動作の開始または動作の終了等の制御を行う。また、制御部１０５は、入力部１１０から操作結果を示す信号が入力されたとき、電子時計１の本体に備えたボタンが押されたことを表す報知信号を報知部１１１に出力する。
また、制御部１０５は、例えば、電子時計１の電源がオン状態になったとき、歩度の補正量の初期値を設定する。制御部１０５は、Ａ／Ｄ変換部１０２が出力した、温度情報と記憶部１０６に記憶されている情報に基づいて、温度の測定間隔を再設定する。制御部１０５は、設定した温度の測定間隔によって温度の測定を行う。また、制御部１０５は、測定した温度情報と記憶部１０６に記憶されている情報に基づいて、歩度の補正量を設定する。制御部１０５は、設定した歩度の補正量を用いて緩急制御信号を生成し、生成した緩急制御信号を緩急設定回路部１０７に出力する。
また、制御部１０５は、分周回路部１０４が出力したクロック信号を用いて計時を行い、計時した時刻の情報である時刻情報を表示制御部１０８に出力する。
【００２３】
記憶部１０６には、プログラム、および温度に対する歩度の補正値が予め記憶されている。また、記憶部１０６には、制御部１０５が、処理中に取得した値が一時的に記憶される。記憶部１０６は、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）である。
緩急設定回路部１０７は、制御部１０５が出力した緩急制御信号に応じて、分周回路部１０４の緩急動作を制御する。例えば、緩急を行う周期である緩急周期が「１０」秒、緩急単位時間（＝（発振クロック周波数）-1）が「１／３２７６８」秒、調整量が「１」、調整方向が「時間を早める」方向である場合、緩急設定回路部１０７は、１０秒毎に、１つのクロック信号のパルス幅を「１」×「１／３２７６８」秒の分だけ短くするように分周回路部１０４を制御する。
【００２４】
表示制御部１０８は、制御部１０５が出力した時刻情報を表示部１０９に表示する。表示部１０９が液晶パネル等を備える場合、表示制御部１０８は、液晶パネルを駆動して時刻情報を表示部１０９に表示させる。表示部１０９が長針、短針、及び秒針を備える場合、表示制御部１０８は、時刻情報に応じて、ステッピングモータを駆動し、各針を回転させる。
表示部１０９は、表示制御部１０８からの制御に応じて、時刻情報を表示する。表示部１０９は、例えば、液晶パネル、有機ＥＬ（エレクトロルミネッセンス）パネル等の表示装置、あるいは、長針、短針、及び秒針を備える。
【００２５】
入力部１１０は、電子時計１の本体に備えるボタン等に接続され電子時計１の利用者によるボタンが操作されたことを検出し、検出した操作結果を制御部１０５に出力する。例えば、入力部１１０は、タイマーモードへの移行指示等を検出する。
報知部１１１は、制御部１０５が出力した報知信号に応じて、利用者に報知する。報知部１１１は、例えば、ブザーである。
【００２６】
図２は、本実施形態に係る分周回路部１０４の動作を説明する図である。図２において、横軸は時間、縦軸は各信号の大きさを表している。図２は、調整量が「１」、調整方向が「＋（プラス）」（時間を早める）方向である場合の動作を示している。図２において、波形ｇ２０１は、発振回路部１０３が生成した発振クロック信号の波形である。時刻ｔ１〜ｔ２が、緩急単位（発振クロック周波数）の時間である。波形ｇ２０２は、分周回路部１０４が、緩急動作を行っていない場合において、発振クロック信号を２分周したクロック信号の波形である。また、波形ｇ２０３は、分周回路部１０４が、緩急周期（例えば１０秒）毎に論理緩急を行った場合に制御部１０５に出力する、緩急動作を行った後のクロック信号の波形である。
【００２７】
波形ｇ２０３において、時刻ｔ１〜ｔ３の期間は、波形ｇ２０２のクロック信号の立ち下がりのタイミングが、緩急単位時間×調整量（「１」）の分だけ早くされたものであることを示す。また、波形ｇ２０３のクロック信号の時刻ｔ２における立ち上がりから、時刻ｔ５のクロック信号の立ち上がりまでの長さ（パルス波間隔という）は、緩急周期−｛緩急単位時間×調整量（「１」）｝である。すなわち、波形ｇ２０３は、そのパルス波間隔が、波形ｇ２０２のパルス波間隔と比較して、緩急単位時間×調整量（「１」）だけ短くされたものである。
【００２８】
図３は、発振回路部１０３が備える音叉型水晶振動子における温度に対する周波数偏差の一例である。図３において、横軸は温度、縦軸は周波数偏差である。図３に示した例において、２５℃のときの周波数ｆ0に対する誤差をΔｆとすると、周波数偏差は、Δｆ／ｆ0となる。また、図３に示したＢは、二次温度係数であり、−３．５×１０-8／℃である。図３に示すように、水晶振動子の周波数温度特性は、＋２５℃を頂点に負の2次曲線で表され、温度範囲が広くなるほど、周波数の変化量が大きくなる。
【００２９】
図４は、本実施形態に係る記憶部１０６に記憶されている温度の測定間隔の一例を説明する図である。記憶部１０６には、発振回路部１０３が備える水晶発振子の温度特性に基づいて、図４に示すような温度範囲と測定間隔とが関連付けられた情報が記憶されている。水晶発振子の周波数偏差が少ない２０℃以上３０℃未満の温度から離れる程、温度測定を行う頻度が、多くなるように記憶部１０６に記憶されている。例えば、温度範囲が０℃未満の場合には、温度の測定間隔として１分間隔が関連付けられ、温度範囲が０℃以上１０℃未満の場合には、温度の測定間隔として２分間隔が関連付けられている。また、温度範囲が１０℃以上２０℃未満の場合、温度の測定間隔として５分間隔が関連付けられ、温度範囲が２０℃以上３０℃未満の場合、温度の測定間隔として１０分間隔が関連付けられている。
【００３０】
図５は、本実施形態に係る記憶部１０６に記憶されている温度範囲に対する歩度の補正量の一例を説明する図である。記憶部１０６には、発振回路部１０３が備える水晶発振子の温度特性に基づいて、図５に示すような温度範囲と歩度の補正量とが関連付けられて記憶されている。水晶発振子の周波数偏差が少ない２０℃以上３０℃未満の温度から離れる程、歩度の補正量が、多くなるように記憶部１０６に記憶されている。例えば、温度範囲が０℃未満の場合、歩度の補正量としてｈ１が関連付けられ、温度範囲が０℃以上１０℃未満の場合、歩度の補正量としてｈ２が関連付けられている。また、温度範囲が１０℃以上２０℃未満の場合、歩度の補正量としてｈ３が関連付けられ、温度範囲が２０℃以上３０℃未満の場合、歩度の補正量としてｈ４が関連付けられている。歩度の補正量ｈ３は、歩度の補正量ｈ４より大きく、歩度の補正量ｈ２は、歩度の補正量ｈ３より大きく、歩度の補正量ｈ１は、歩度の補正量ｈ２より大きい。
【００３１】
なお、図５に示した例では、温度範囲が図４に示した温度の測定間隔と同じ例を示したが、これに限られない。例えば、温度範囲が０℃以上１０℃未満の場合の歩度の補正量ｈ２と温度範囲が１０℃以上２０℃未満の場合の歩度の補正量ｈ３とが同じ値である歩度の補正量ｈ１１であってもよい。同様に、温度範囲が３０℃以上４０℃未満の場合の歩度の補正量ｈ３と温度範囲が４０℃以上５０℃未満の場合の歩度の補正量ｈ２とが同じ値であってもよい。この場合、歩度の補正量ｈ１１は、温度範囲が２０℃以上３０℃未満の場合における歩度の補正量ｈ３より大きく、歩度の補正量ｈ１１は、温度範囲が０℃未満の場合における歩度の補正量ｈ４より大きい。
【００３２】
図６は、本実施形態に係る歩度調整の手順の一例のフローチャートである。
（ステップＳ１）制御部１０５は、温度測定を行う測定間隔の初期値を選択する。測定間隔の初期値は、例えば、常温（２５℃）に応じた測定間隔である。この処理は、例えば、電子時計１の電源が、初めてオン状態になったとき、電池が交換されたとき等に制御部１０５が行う。
【００３３】
（ステップＳ２）制御部１０５は、分周回路部１０４が出力した基準信号を計時し、ステップＳ１で決定した補正を行うための温度測定を行うタイミングであるか否かを判別する。制御部１０５は、温度測定を行うタイミングであると判別した場合（ステップＳ２；Ｙｅｓ）、ステップＳ３に進み、温度測定を行うタイミングではないと判別した場合（ステップＳ２；Ｎｏ）、ステップＳ２の処理を繰り返す。
【００３４】
（ステップＳ３）制御部１０５は、Ａ／Ｄ変換部１０２から温度情報を取得する。なお、制御部１０５は、温度測定を行う期間以外、Ａ／Ｄ変換部１０２への電力の供給を行わないようにしてもよい。これにより、Ａ／Ｄ変換部１０２により消費される消費電力を低減することができる。
【００３５】
（ステップＳ４）制御部１０５は、記憶部１０６に記憶されている情報に基づいて、取得した温度に応じた歩度の補正量を再設定する。
（ステップＳ５）制御部１０５は、記憶部１０６に記憶されている情報に基づいて、取得した温度に応じて、次に温度測定を行うタイミングである測定間隔を再設定する。制御部１０５および緩急設定回路部１０７は、ステップＳ４で設定した歩度の補正量を用いて、予め定められている緩急周期ごとに、緩急動作を行う。
以降、ステップＳ２に戻り、制御部１０５は、ステップＳ２〜Ｓ５の処理を繰り返す。
【００３６】
以下に、歩度調整の手順の具体例を説明する。
制御部１０５は、温度測定を行う測定間隔の初期値として１０分間隔を選択する（ステップＳ１）。制御部１０５は、計時を開始し、１０分間が経過した場合（ステップＳ２；Ｙｅｓ）、温度情報を取得する（ステップＳ３）。このとき取得された温度情報が、仮に７℃であったとする。制御部１０５は、記憶部１０６に記憶されている情報に基づいて、取得した温度情報に応じて、緩急量を緩急量ｈ２（図５参照）に設定（ステップＳ４）し、測定間隔を２分間隔（図４参照）に再設定する（ステップＳ５）。制御部１０５は、再設定した２分毎に温度測定を行い、また予め定められている緩急周期毎に緩急動作を行う。
【００３７】
以上のように、本実施形態の電子機器（電子時計１）は、温度を測定する温度測定部（温度センサ部１０１、Ａ／Ｄ変換部１０２）と、温度に関する情報に応じて温度測定部が温度を測定する間隔を変更し、温度測定部が測定した温度に応じてクロック信号に対して歩度の調整を行うための歩度補正量を変更する制御部（制御部１０５、緩急設定回路部１０７）と、発振信号を分周して前記クロック信号を生成し、生成した前記クロック信号に対して歩度補正量を用いて緩急を行う分周回路部１０４と、を備える。
また、本実施形態の電子機器（電子時計１）において、制御部（制御部１０５、緩急設定回路部１０７）は、温度測定部（温度センサ部１０１、Ａ／Ｄ変換部１０２）が測定した温度に関する情報である温度の情報に基づいて、温度測定部が温度を測定する間隔を変更する。
【００３８】
この構成により、本実施形態の電子時計１では、測定した温度に応じて温度測定する頻度を変更し、さらに測定した温度に応じて歩度の補正量を変更する。これにより、本実施形態の電子時計１は、常時、温度測定を行う場合と比較して、電子時計１の消費電力を低減しつつ、高い時計精度を維持することができる。
【００３９】
また、本実施形態では、電子時計１の電源がオン状態の場合、温度測定を行う例を説明したが、これに限られない。利用者がボタンを操作して設定した歩度調整の設定に応じて、制御部１０５が、温度測定の処理を行うか否かを決定するようにしてもよい。すなわち、電子時計１は、例えばボタン操作によって、温度測定と歩度の補正量の調整を行う処理を行うか否かを、切り替える機能を備えていてもよい。
【００４０】
例えば、利用者が電子時計１を腕に直接、装着して使用する状態で、気温が１０℃以下で使用することが分かっている場合、利用者は、温度測定と歩度の温度補正を行う設定をオン状態に設定する。これにより、気温が低い状況においても、電子時計１が測定した温度に応じて、温度の測定間隔を増やすため、高い時計精度を維持できる。
一方、利用者が電子時計１を腕に装着して使用する場合、利用者は、電子時計１の消費電力をさらに低減するために温度の測定を行わないように設定してもよい。この場合であっても、電子時計１は、予め定められている緩急周期で予め定められている歩度の補正量を用いて、緩急動作を行う。
【００４１】
［第２実施形態］
第１実施形態では、温度に関する情報である温度を測定して、測定した温度情報に応じて、温度の測定間隔と歩度の補正量を変更する例を説明した。本実施形態では、電子時計がカレンダ機能を備え、予め定められている季節などの期間に応じて、温度の測定間隔を変更する例を説明する。
【００４２】
図７は、本実施形態に係る電子時計１ａの構成を示したブロック図である。図７に示すように、電子時計１ａは、温度センサ部１０１、Ａ／Ｄ変換部１０２、発振回路部１０３、分周回路部１０４、制御部１０５ａ、記憶部１０６ａ、緩急設定回路部１０７、表示制御部１０８、表示部１０９、入力部１１０、報知部１１１、およびカレンダ部２０１を備えている。なお、第１実施形態で説明した電子時計１（図１参照）と同じ機能を有する機能部については、同じ符号を用いて説明を省略する。
【００４３】
カレンダ部２０１は、分周回路部１０４が出力したクロック信号を用いて、カレンダに関する計時を行う。カレンダ部２０１は、計時した結果を示すカレンダ情報を制御部１０５ａに出力する。ここで、カレンダ情報には、年、月、日、曜日を示す各情報が含まれている。
【００４４】
制御部１０５ａは、カレンダ部２０１が出力したカレンダ情報と、記憶部１０６ａに記憶されている期間と測定間隔とに基づいて、温度の測定間隔を決定する。期間は、例えば季節毎であり、季節毎に温度が異なるため、このように、カレンダ部２０１が生成されたカレンダ情報および記憶部１０６ａに記憶されている期間も温度に関する情報である。制御部１０５ａは、決定した温度の測定間隔で、Ａ／Ｄ変換部１０２から温度情報を取得する。また、制御部１０５ａは、取得した温度情報に応じて、歩度の補正量を設定し、再設定した補正量を緩急設定回路部１０７に出力する。
【００４５】
記憶部１０６ａには、温度の測定間隔を変更する期間を示す情報が記憶されている。ここで、温度の測定間隔を変更する期間を示す情報とは、季節の期間を示す情報（春、夏、秋、冬）である。各季節の期間は、国、地域、西暦等に応じて予め記憶させるようにしてもよい。あるいは、国、地域毎に複数の季節の期間が記憶されている場合、電子時計１ａの出荷時、販売時、使用開始時に、入力部１１０が備えるスイッチを利用者等が操作して選択するようにしてもよい。また、季節の期間は、月によって区分けされていてもよく、春分、夏至、秋分、および冬至の天文学上の日付に基づいた期間であってもよい。
また、記憶部１０６ａには、プログラム、および温度の範囲と歩度の補正値（図５参照）が予め記憶されている。また、記憶部１０６ａには、制御部１０５ａが、処理中に取得した温度の値が一時的に記憶される。
【００４６】
図８は、本実施形態に係る記憶部１０６ａに記憶されている情報の一例を説明する図である。図８に示すように、記憶部１０６ａには、期間および測定間隔が関連づけられた情報が記憶されている。例えば、期間が「１２月、１月、２月」に対して、測定間隔として間隔Ｋ１が関連付けられた情報が記憶部１０６ａに記憶されている。例えば、日本の場合、期間「１２月、１月、２月」は気温が低い冬であるため、間隔Ｋ１は、例えば５分間隔である。また、期間「６月、７月、８月」は気温が高い夏であるため、間隔Ｋ３は、例えば５分間隔である。あるいは、期間「３月、４月、５月」は気温が常温に近いが春であるため、間隔Ｋ２は、例えば１０分間隔である。
【００４７】
図９は、本実施形態に係る歩度調整の手順の一例のフローチャートである。
（ステップＳ１０１）制御部１０５ａは、カレンダ部２０１が出力するカレンダ情報を取得する。
（ステップＳ１０２）制御部１０５ａは、取得したカレンダ情報と、記憶部１０６ａに記憶されている期間と温度の測定間隔との情報に基づいて、温度の測定間隔を決定する。
【００４８】
（ステップＳ１０３）制御部１０５ａは、分周回路部１０４が出力したクロック信号を計時し、ステップＳ１０２で決定した補正を行うための温度測定を行うタイミングであるか否かを判別する。制御部１０５ａは、温度測定を行うタイミングであると判別した場合（ステップＳ１０３；Ｙｅｓ）、ステップＳ１０４に進み、温度測定を行うタイミングではないと判別した場合（ステップＳ１０３；Ｎｏ）、ステップＳ１０３の処理を繰り返す。
【００４９】
（ステップＳ１０４）制御部１０５ａは、Ａ／Ｄ変換部１０２から温度情報を取得する。
（ステップＳ１０５）制御部１０５ａは、記憶部１０６ａに記憶されている情報に基づいて、取得した温度に応じた歩度の補正量を再設定する。制御部１０５ａおよび緩急設定回路部１０７は、ステップＳ１０５で再設定した歩度の補正量を用いて、予め定められている緩急周期ごとに、緩急動作を行う。
以降、ステップＳ１０３に戻り、制御部１０５ａは、ステップＳ１０３〜Ｓ１０５の処理を繰り返す。
【００５０】
以下に、歩度調整の手順の一例を説明する。
制御部１０５ａは、カレンダ情報を取得し（ステップＳ１０１）、取得したカレンダ情報の月日が２月であった場合、温度の測定間隔として間隔Ｋ１を決定する（ステップＳ１０２）。次に、制御部１０５ａは、計時を開始し、時間Ｋ１が経過した場合（ステップＳ１０３；Ｙｅｓ）、温度情報を取得する（ステップＳ１０４）。このとき、取得された温度情報が、仮に７℃であったとする。制御部１０５ａは、記憶部１０６ａに記憶されている情報に基づいて、取得した温度情報に応じて、緩急量をｈ２（図５参照）に再設定する（ステップＳ１０５）。制御部１０５ａは、ステップＳ１０２で決定された間隔Ｋ１毎に温度測定を行い、また予め定められている緩急周期毎にステップＳ１０５で再設定された歩度の補正量を用いて緩急動作を行う。
【００５１】
以上のように、本実施形態の電子機器（電子時計１ａ）は、クロック信号に基づいて温度に関する情報であるカレンダ情報を生成するカレンダ部２０１を備え、制御部（制御部１０５ａ、緩急設定回路部１０７）は、カレンダ部が生成したカレンダ情報に基づいて、温度測定部が温度を測定する間隔を変更する。
また、本実施形態の電子機器（電子時計１ａ）において、制御部（制御部１０５ａ、緩急設定回路部１０７）は、カレンダ部２０１が生成したカレンダ情報を用いて、予め定められている期間に温度測定部（温度センサ部１０１、Ａ／Ｄ変換部１０２）が温度を測定する間隔を変更する。
【００５２】
この構成により、本実施形態の電子時計１ａでは、温度に関する情報であるカレンダ情報に応じて温度を測定する頻度を設定し、測定した温度に応じて歩度の補正量を変更する。これにより、本実施形態の電子時計１ａは、季節に応じて温度の測定を行う頻度、温度に基づく歩度の補正量を変更する。この結果、本実施形態の電子時計１ａは、気温が高い夏や気温が低い冬に、温度測定を行う頻度が高くなる。従って、本実施形態の電子時計１ａは、高い時計精度を維持することができる。
【００５３】
また、本実施形態では、電子時計１ａの電源がオン状態の場合、カレンダ情報に応じて温度測定を行う例を説明したが、これに限られない。利用者がボタンを操作した設定に応じて、制御部１０５ａは、カレンダ情報に応じた温度測定の処理を行うか否かを決定するようにしてもよい。すなわち、電子時計１ａは、例えばボタン操作によって、カレンダ情報に応じて温度測定と歩度の補正量の調整を行う処理を行うか否かを、切り替える機能を備えていてもよい。
【００５４】
例えば、利用者が電子時計１ａを腕に装着していない状態が継続する場合、利用者は、カレンダ情報に応じた温度測定を行う設定をオン状態に設定する。これにより、気温が低いまたは高い状態が継続する季節においても、電子時計１ａは、測定した温度に応じて、温度の測定間隔を増やし、歩度の補正量（緩急量）を変更することによって、高い時計精度を維持できる。
一方、利用者が電子時計１ａを腕に装着していない状態が続く場合であっても、季節が春または秋の場合、利用者は、電子時計１ａの消費電力をさらに低減するために温度測定を行わないように設定してもよい。これにより電子時計１ａは、消費電力を低減することができる。
【００５５】
［第３実施形態］
第１実施形態では、温度を測定し、測定した温度に応じて、温度の測定間隔を変更する例を説明した。本実施形態では、電子時計が高度の測定機能を備える例を説明する。電子時計が高度の測定機能を備える場合、利用者は、登山等を行うときに、高度の測定機能を利用することが想定される。例えば、１００［ｍ］の高度を増す毎に気温は、０．６℃ずつ下がるため、歩度の調整を行うための温度の測定間隔を地上で使用している場合より高い頻度にすることが望ましい。このように、高度も温度に関する情報である。このため、本実施形態では、電子時計が高度を計測しているとき（以下、高度測定モードという）、所定の時間間隔で温度測定を行い、測定した温度に応じて歩度の補正量を再設定する。
【００５６】
図１０は、本実施形態に係る電子時計１ｂの構成を示したブロック図である。図１０に示すように、電子時計１ｂは、温度センサ部１０１、Ａ／Ｄ変換部１０２、発振回路部１０３、分周回路部１０４、制御部１０５ｂ、記憶部１０６ｂ、緩急設定回路部１０７、表示制御部１０８、表示部１０９、入力部１１０、報知部１１１、気圧センサ部（高度測定部）３０１、およびＡ／Ｄ変換部（高度測定部）３０２を備えている。なお、第１実施形態で説明した電子時計１（図１参照）と同じ機能を有する機能部については、同じ符号を用いて説明を省略する。
【００５７】
気圧センサ部３０１は、外気の気圧を計測し、計測した気圧を表す気圧信号をＡ／Ｄ変換部３０２に出力する。気圧センサ部３０１は、例えば、高低差による気圧の変化を検知する絶対圧センサである。なお、絶対圧センサとは、真空の気圧を基準値においた圧力を検知するセンサである。
Ａ／Ｄ変換部３０２は、気圧センサ部３０１が出力した気圧信号をディジタル信号に変換し、変換したディジタル信号を、気圧を表す気圧情報として制御部１０５ｂに出力する。なお、気圧センサ部３０１は、Ａ／Ｄ変換部３０２を含んで構成されていてもよい。
【００５８】
制御部１０５ｂは、高度測定モードのとき、記憶部１０６ｂに記憶されている予め定められた温度の測定間隔で、Ａ／Ｄ変換部１０２から温度情報を取得する。制御部１０５ｂは、取得した温度情報に応じて、記憶部１０６ｂに記憶されている情報を用いて歩度の調整量を設定し、設定した歩度の補正量を緩急設定回路部１０７に出力する。なお、予め定められた測定間隔とは、常温（２５℃）と比較して、短い間隔であり、例えば２分間隔である。
【００５９】
記憶部１０６ｂには、プログラム、温度の範囲と歩度の補正値（図５参照）、および予め定められた測定間隔が記憶されている。また、記憶部１０６ｂには、制御部１０５ｂが、処理中に取得した温度の値、および気圧の値、または、気圧に基づいて算出した高度の値が一時的に記憶される。
【００６０】
図１１は、本実施形態に係る歩度調整の手順の一例のフローチャートである。
（ステップＳ２０１）制御部１０５ｂは、電子時計１ｂが、高度測定モードで使用されているか否かを判別する。制御部１０５ｂは、高度の測定モードで使用されていると判別した場合（ステップＳ２０１；Ｙｅｓ）、ステップＳ２０２に進み、高度測定モードで使用されていないと判別した場合（ステップＳ２０１；Ｎｏ）、ステップＳ２０１を繰り返す。
（ステップＳ２０２）制御部１０５ｂは、予め定められている測定間隔を、温度の測定間隔として決定する。
【００６１】
（ステップＳ２０３）制御部１０５ｂは、分周回路部１０４が出力したクロック信号を計時し、ステップＳ２０２で決定した補正を行うための温度測定を行うタイミングであるか否かを判別する。制御部１０５ｂは、温度測定を行うタイミングであると判別した場合（ステップＳ２０３；Ｙｅｓ）、ステップＳ２０４に進み、温度測定を行うタイミングではないと判別した場合（ステップＳ２０３；Ｎｏ）、ステップＳ２０３の処理を繰り返す。
【００６２】
（ステップＳ２０４）制御部１０５ｂは、Ａ／Ｄ変換部１０２から温度情報を取得する。
（ステップＳ２０５）制御部１０５ｂは、記憶部１０６ｂに記憶されている情報に基づいて、取得した温度に応じた歩度の補正量を再設定する。制御部１０５ｂおよび緩急設定回路部１０７は、ステップＳ２０５で再設定した歩度の補正量を用いて、予め定められている緩急周期ごとに、緩急動作を行う。
以降、ステップＳ２０３に戻り、制御部１０５ｂは、ステップＳ２０３〜Ｓ２０５の処理を繰り返す。
【００６３】
以上のように、本実施形態の電子機器（電子時計１ｂ）は、温度に関する情報である高度に関する情報を測定する高度測定部（気圧センサ部３０１、Ａ／Ｄ変換部３０２）を備え、制御部（制御部１０５ｂ、緩急設定回路部１０７）は、高度測定部が高度に関する情報を測定中のとき、温度測定部（温度センサ部１０１、Ａ／Ｄ変換部１０２）が温度を測定する間隔を変更する。
また、本実施形態の電子機器（電子時計１ｂ）において、制御部（制御部１０５ｂ、緩急設定回路部１０７）は、高度測定部（気圧センサ部３０１、Ａ／Ｄ変換部３０２）が測定した高度に関する情報に基づいて、温度測定部（温度センサ部１０１、Ａ／Ｄ変換部１０２）が温度を測定する間隔を変更する。
【００６４】
この構成により、本実施形態の電子時計１ｂでは、高度測定モードの場合、予め定められている測定間隔で温度を測定する。そして、本実施形態の電子時計１ｂでは、測定した温度に応じて、歩度の補正量を変更する。これにより、本実施形態の電子時計１ｂは、高度を測定しているとき、温度測定を行う頻度を変更し、測定した温度に基づき歩度の補正量を変更する。この結果、本実施形態の電子時計１ｂは、登山のように気温が変化する状況で電子時計１ｂが使用されている場合、温度の測定頻度を高くし、測定した温度に応じて、歩度の補正量を決定するため、高い時計精度を維持できる。
【００６５】
なお、本実施形態では、高度測定モード時に予め定められている時間間隔で温度測定を行う例を説明したが、これに限られない。例えば、電子時計１ｂの制御部１０５ｂは、取得した気圧を高度に換算し、換算した高度に応じた測定間隔で温度測定を行うようにしてもよい。この場合、高度と測定間隔とが関連づけられた情報が、記憶部１０６ｂに予め記憶されていてもよい。高度が高くなるほど、温度の測定間隔が短くなるように対応付けられて記憶部１０６ｂに記憶されている。例えば、高度１に対して、測定間隔として間隔Ｋ３１が関連付けられ、高度２に対して、測定間隔として間隔Ｋ３２が関連付けられて記憶部１０６ｂに記憶されている。なお、高度が高くなるほど気温が下がるため、例えば高度２が高度１より高い高度の場合、間隔Ｋ３２は、間隔Ｋ３１より短い。
【００６６】
また、本実施形態では、電子時計１ｂの電源がオン状態の場合、温度測定を行う例を説明したが、これに限られない。利用者がボタンを操作した設定に応じて、制御部１０５ｂは、温度測定の処理を行うか否かを決定するようにしてもよい。すなわち、電子時計１ｂは、例えばボタン操作によって、高度測定モードに応じて温度測定と歩度の補正量の調整を行う処理を行うか否かを、切り替える機能を備えていてもよい。
【００６７】
例えば、利用者が電子時計１ｂを腕に直接、装着している状態であっても、気温が１０℃以下で使用することが分かっている場合、利用者は、温度測定を行う設定をオン状態に設定する。これにより、気温が低い状況においても、電子時計１ｂが測定した温度に応じて、温度の測定間隔を増やし、歩度の補正量（緩急量）を変更することによって、高い時計精度を維持できる。一方、利用者は、電子時計１ｂの消費電力を低減するために温度の測定を行わないように設定してもよい。この場合、電子時計１ｂは、消費電力を低減することができる。
【００６８】
また、本実施形態で説明した電子時計１ｂは、第２実施形態で説明したカレンダ部２０１（図７）を備え、カレンダ部２０１が出力したカレンダ情報に応じて、温度の測定間隔を決定するようにしてもよい。この場合、登山を行っていない場合であっても、季節に応じて、温度の測定間隔を決定し、測定した温度に応じて歩度の補正量を調整できるので、電子時計１ｂは、高い時計精度を維持でき、かつ消費電力を低減することができる。
【００６９】
［第４実施形態］
第１実施形態では、温度を測定し、測定した温度に応じて、温度の測定間隔を変更する例を説明した。本実施形態では、電子時計が加速度の測定機能を備える例を説明する。本実施形態では、加速度センサが検出した加速度情報に基づいて、利用者が電子時計を腕に装着しているのか否かを判別し、判別した結果に応じて温度の測定間隔を変更する。この理由は、利用者が電子時計を腕に装着して使用している場合、仮に外気の気温が１０℃であっても、利用者の体温により電子時計が測定した温度が２０℃以上になる。一方、利用者が、電子時計を腕に装着していない場合、外気の影響を受け、電子時計が測定した温度が１０℃程度になることが予想される。このように利用者が電子時計を腕に装着していない場合、腕に装着されているときより温度の測定頻度を高くすることが望ましい。このため、本実施形態では、利用者が電子時計を腕に装着していないとき、所定の時間間隔で温度測定を行い、測定した温度に応じて歩度の補正量を再設定する。すなわち、利用者が電子時計を携帯している場合と携帯していない場合とによって、測定される温度情報が異なることが想定されるため、加速度情報は、温度に関する情報である。
【００７０】
図１２は、本実施形態に係る電子時計１ｃの構成を示したブロック図である。図１２に示すように、電子時計１ｃは、温度センサ部１０１、Ａ／Ｄ変換部１０２、発振回路部１０３、分周回路部１０４、制御部１０５ｃ、記憶部１０６ｃ、緩急設定回路部１０７、表示制御部１０８、表示部１０９、入力部１１０、報知部１１１、加速度センサ部４０１、およびＡ／Ｄ変換部４０２を備えている。なお、第１実施形態で説明した電子時計１（図１参照）と同じ機能を有する機能部については、同じ符号を用いて説明を省略する。
【００７１】
加速度センサ部４０１は、電子時計１ｃの本体に加えられた加速度を検出し、検出した加速度を表す加速度信号をＡ／Ｄ変換部４０２に出力する。加速度センサ部４０１は、例えば、３個の感度軸を有する３軸加速度センサである。感度軸とは、特定の方向の加速度を検知する軸である。加速度センサ部４０１は、３個の感度軸が互いに直交するように、本体に固定されている。３個の感度軸のうちの１つ（Ｚ軸）は、本体を収納するケースの軸に垂直な方向（Ｚ方向）に向いている。その他の２個の感度軸のうち１つ（Ｙ軸）は、固定バンド１２４の長手方向（Ｙ方向）に向いている。残りの感度軸（Ｘ軸）は、Ｙ軸、Ｚ軸とともに垂直な方向（Ｘ方向）に向いている。この場合、加速度信号は、Ｘ、Ｙ，Ｚ各方向の加速度を表す。
Ａ／Ｄ変換部４０２は、加速度センサ部４０１が出力した加速度信号をディジタル信号に変換し、変換したディジタル信号を、加速度を表す加速度情報として制御部１０５ｃに出力する。なお、加速度センサ部４０１は、Ａ／Ｄ変換部４０２を含んで構成されていてもよい。
【００７２】
制御部１０５ｃは、Ａ／Ｄ変換部４０２が出力した加速度情報を用いて、電子時計１ｃが携帯されていないとき、記憶部１０６ｃに記憶されている予め定められた測定間隔で、Ａ／Ｄ変換部１０２から温度情報を取得する。制御部１０５ｃは、取得した温度情報に応じて、歩度の調整量を再決定し、再決定した補正量を緩急設定回路部１０７に出力する。なお、予め定められた測定間隔とは、常温（２５℃）と比較して、短い間隔であり、例えば２分間隔である。
【００７３】
記憶部１０６ｃには、プログラム、温度の範囲と歩度の補正値（図５参照）、および予め定められた測定間隔が予め記憶されている。また、記憶部１０６ｃには、制御部１０５ｃが、処理中に取得した温度の値および加速度情報が一時的に記憶される。
【００７４】
図１３は、本実施形態に係る歩度調整の手順の一例のフローチャートである。
（ステップＳ３０１）制御部１０５ｃは、Ａ／Ｄ変換部４０２が出力する加速度情報を取得する。
（ステップＳ３０２）制御部１０５ｃは、取得した加速度情報を用いて、電子時計１ｃが携帯されているか否かを判別する。制御部１０５ｃは、電子時計１ｃが携帯されていると判別した場合（ステップＳ３０２；Ｙｅｓ）、ステップＳ３０１に戻り、電子時計１ｃが携帯されていないと判別した場合（ステップＳ３０２；Ｎｏ）、ステップＳ３０３に進む。
【００７５】
（ステップＳ３０３）制御部１０５ｃは、予め定められている測定間隔を、温度の測定間隔として決定する。
（ステップＳ３０４）制御部１０５ｃは、分周回路部１０４が出力したクロック信号を計時し、ステップＳ３０３で決定した補正を行うための温度測定を行うタイミングであるか否かを判別する。制御部１０５ｃは、温度測定を行うタイミングであると判別した場合（ステップＳ３０４；Ｙｅｓ）、ステップＳ３０５に進み、温度測定を行うタイミングではないと判別した場合（ステップＳ３０４；Ｎｏ）、ステップＳ３０４の処理を繰り返す。
【００７６】
（ステップＳ３０５）制御部１０５ｃは、Ａ／Ｄ変換部１０２から温度情報を取得する。
（ステップＳ３０６）制御部１０５ｃは、記憶部１０６ｃに記憶されている情報に基づいて、取得した温度に応じた歩度の補正量を再設定する。制御部１０５ｃおよび緩急設定回路部１０７は、ステップＳ３０６で再設定した歩度の補正量を用いて、予め定められている緩急周期ごとに、緩急動作を行う。
以降、ステップＳ３０４に戻り、制御部１０５ｃは、ステップＳ３０４〜Ｓ３０６の処理を繰り返す。
【００７７】
以下に、歩度調整の手順の一例を説明する。
制御部１０５ｃは、加速度情報を取得し（ステップＳ３０１）、取得した加速度情報に基づいて電子時計１ｃが携帯されていないと判定した場合（ステップＳ３０２；Ｎｏ）、例えば温度の初期測定間隔として間隔Ｋ１を決定する（ステップＳ３０３）。次に、制御部１０５ｃは、計時を開始し、時間Ｋ１が経過した場合（ステップＳ３０４；Ｙｅｓ）、温度情報を取得する（ステップＳ３０５）。ここで、取得された温度情報が、仮に７℃であったとする。次に、制御部１０５ｃは、記憶部１０６ｃに記憶されている情報に基づいて、取得した温度情報に応じて、歩度の補正量をｈ２（図５参照）に再設定する（ステップＳ３０６）。
【００７８】
以上のように、本実施形態の電子機器（電子時計１ｃ）は、温度に関する情報である当該電子機器にかかる加速度を検出する加速度センサ（加速度センサ部４０１、Ａ／Ｄ変換部４０２）を備え、制御部（制御部１０５ｃ、緩急設定回路部１０７）は、加速度センサが検出した検出値に基づいて、温度測定部（温度センサ部１０１、Ａ／Ｄ変換部１０２）が温度を測定する間隔を変更する。
また、本実施形態の電子機器（電子時計１ｃ）であって、制御部（制御部１０５ｃ、緩急設定回路部１０７）は、加速度センサ（加速度センサ部４０１、Ａ／Ｄ変換部４０２）が検出した検出値に基づいて、当該電子機器が利用者により携帯されていないと判別したとき、温度測定部（温度センサ部１０１、Ａ／Ｄ変換部１０２）が温度を測定する間隔を変更する。
【００７９】
この構成により、本実施形態の電子時計１ｃでは、加速度情報に基づいて、電子時計１ｃが携帯されていないとき、温度を測定する頻度を変更し、測定した温度に応じて歩度の補正量を変更する。これにより、本実施形態の電子時計１ｃは、携帯されているか否かに応じて温度の測定を行う頻度、測定した温度に基づく歩度の補正量を変更する。この結果、本実施形態の電子時計１ｃは、電子時計１ｃが携帯されていないとき、温度測定を行う頻度が高くなる。従って、本実施形態の電子時計１ｃは、携帯されていないときであっても高い時計精度を維持することができる。また、本実施形態によれば、利用者が電子時計１ｃを携帯している場合、温度測定を行わないため、消費電力を低減することができる。
【００８０】
また、本実施形態では、電子時計１ｃの電源がオン状態の場合、温度測定を行う例を説明したが、これに限られない。利用者がボタンを操作した設定に応じて、制御部１０５ｃは、温度測定の処理を行うか否かを決定するようにしてもよい。すなわち、電子時計１ｃは、例えばボタン操作によって、加速度情報に応じて温度測定と歩度の補正量の調整を行う処理を行うか否かを、切り替える機能を備えていてもよい。
【００８１】
例えば、電子時計１ｃが携帯されていない状態であっても、室温が２０℃〜３０℃に放置されている場合、利用者は、温度測定と歩度の補正を行う設定をオフ状態に設定する。これにより、電子時計１ｃは、消費電力を低減することができる。また、電子時計１ｃが携帯されている状態であっても、外気の温度が０℃未満である場合、利用者は、温度測定と歩度の補正を行う設定をオン状態に設定する。これにより、電子時計１ｃは、高い時計精度を維持できる。
【００８２】
また、本実施形態の電子時計１ｃは、第２実施形態で説明したカレンダ部２０１（図７）、第３実施形態で説明した気圧センサ部３０１とＡ／Ｄ変換部３０２（図１０）のいずれか、あるいは両方を備えていてもよい。これにより、電子時計１ｃは、カレンダ情報、または気圧情報に応じても、温度の測定間隔を変更し、測定した温度に応じて歩度の補正量を変更することができる。この結果、電子時計１ｃは、高い時計精度を維持でき、かつ消費電力を低減することができる。
【００８３】
なお、第１〜第４実施形態において、電子時計１〜１ｃは、他の温度に関する情報に基づいて、温度の測定間隔を変更するようにしてもよい。他の温度に関する情報は、例えば、電子時計１〜１ｃが通信機能を有している場合、通信によって取得した天気予報に関する情報、利用者が電子時計１〜１ｃを利用している国や地域および場所に関する情報等である。例えば、２月に利用者が北半球で電子時計１〜１ｃを利用していた場合、カレンダ部２０１を備える電子時計１ａは、測定間隔として間隔Ｋ１（図８参照）を設定している。利用者が、南半球に移動した場合、南半球の季節が夏であるため、電子時計１ａは、通信により取得した情報に基づいて、温度の測定間隔を間隔Ｋ１から間隔Ｋ４に自動的に変更するようにしてもよい。
【００８４】
なお、第１〜第４実施形態では、発振回路部１０３が備える発振子の例として、音叉型水晶発振子を説明したが、これに限られない。発振子は、ＡＴカット型水晶発振子のように、温度に対して周波数偏差が三次曲線を描くようなものであってもよい。この場合であっても、発振子の温度特性に応じた測定間隔、歩度の補正量を予め記憶部１０６（含む１０６ａ、１０６ｂ、および１０６ｃ）に記憶させておくことで、電子時計１（含む１ａ、１ｂ、および１ｃ）は、第１〜第４実施形態の効果を得ることができる。
【００８５】
なお、本発明における制御部１０５（含む１０５ａ、１０５ｂ、および１０５ｃ）の機能を実現するためのプログラムをコンピュータ読み取り可能な記録媒体に記録して、この記録媒体に記録されたプログラムをコンピュータシステムに読み込ませ、実行することにより制御部１０５（含む１０５ａ、１０５ｂ、および１０５ｃ）の動作および制御を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００８６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００８７】
１、１ａ、１ｂ、１ｃ…電子時計、１０１…温度センサ部、１０２、３０２、４０２…Ａ／Ｄ変換部、１０４…分周回路部、１０５、１０５ａ、１０５ｂ、１０５ｃ…制御部、１０６、１０６ａ、１０６ｂ、１０６ｃ…記憶部、１０７…緩急設定回路部、１０８…表示制御部、１０９…表示部、１１０…入力部、１１１…報知部、２０１…カレンダ部、３０１…気圧センサ部、４０１…加速度センサ部
【図１】
2015031608.tif 000003
【図２】
2015031608.tif 000004
【図３】
2015031608.tif 000005
【図４】
2015031608.tif 000006
【図５】
2015031608.tif 000007
【図６】
2015031608.tif 000008
【図７】
2015031608.tif 000009
【図８】
2015031608.tif 000010
【図９】
2015031608.tif 000011
【図１０】
2015031608.tif 000012
【図１１】
2015031608.tif 000013
【図１２】
2015031608.tif 000014
【図１３】
2015031608.tif 000015